(57)【要約】【課題】カイロプラクターによる施術を行い易くする。【解決手段】カイロプラクティックの施術者は、フットコントローラ８０の踏板部８１、８２に脚を載せて踏板部８１、８２を揺動させる操作を行う。踏板部８１が揺動軸の前方を下に傾ける方向に動くと、駆動部７１は、角度θ２を広げる方向に大腿部接触部５０Ｌを動かす。踏板部８１が揺動軸の後方を下に傾ける方向に動くと、駆動部７１は、角度θ２を狭める方向に大腿部接触部５０Ｌを動かす。踏板部８２が揺動軸の前方を下に傾ける方向に動くと、駆動部７２は、角度θ３を広げる方向に大腿部接触部５０Ｒを動かす。踏板部８２が揺動軸の後方を下に傾ける方向に動くと、駆動部７２は、角度θ３を狭める方向に大腿部接触部５０Ｒを動かす。【選択図】図１
2014054461.tif 000002
【特許請求の範囲】
【請求項１】
着座姿勢のユーザを下方から支持する基台部と、
前記基台部の上に着座するユーザからみて、前記基台部の前方左側に配置された左右方向に延伸する第１の軸を揺動軸として揺動し得るように支持された第１の大腿部接触部と、前記基台部の前方右側に配置された左右方向に延伸する第２の軸を揺動軸として揺動し得るように支持された第２の大腿部接触部と、
前記第１の大腿部接触部を前記第１の軸周りに揺動するように駆動し、前記第２の大腿部接触部を前記第２の軸周りに揺動するように駆動する駆動部と
を備え、
前記第１の大腿部接触部は前記駆動部による駆動に従い、前記基台部の上に着座したユーザの左の大腿部を、股関節を支点として回動するように下方から押し上げ、前記第２の大腿部接触部は前記駆動部による駆動に従い、前記基台部の上に着座したユーザの右の大腿部を、股関節を支点として回動するように下方から押し上げる
ことを特徴とする姿勢保持装置。
【請求項２】
前記基台部の上に着座するユーザからみて、前記基台部の上面において左後方から中央前方に向かい下がるように傾斜する傾斜面を有する第１の臀部接触部と、前記基台部の上面において右後方から中央前方に向かい下がるように傾斜する傾斜面を有する第２の臀部接触部とを備えることを特徴とする請求項１に記載の姿勢保持装置。
【請求項３】
前記基台部の上に着座するユーザからみて、前記第１の大腿部接触部および前記第２の大腿部接触部は前記基台部に対し左右方向に移動し得るように前記基台部に連結されており、
前記駆動部は、前記第１の大腿部接触部及び前記第２の大腿部接触部の各々を左右方向に移動するように駆動する
ことを特徴とする請求項１または２に記載の姿勢保持装置。
【請求項４】
前記基台部の上に着座するユーザからみて、前記第１の大腿部接触部および前記第２の大腿部接触部は前記基台部に対し前後方向に移動し得るように前記基台部に連結されており、
前記駆動部は、前記第１の大腿部接触部及び前記第２の大腿部接触部の各々を前後方向に移動するように駆動する
ことを特徴とする請求項１乃至３のいずれか１項に記載の姿勢保持装置。
【請求項５】
前記基台部の上に着座したユーザもしくは当該ユーザとは異なるユーザにより操作される操作子を備え、
前記駆動部は前記操作子に対し行われた操作に応じて、前記第１の大腿部接触部および前記第２の大腿部接触部を駆動する
請求項１乃至４のいずれか１項に記載の姿勢保持装置。
【発明の詳細な説明】
【技術分野】
【０００１】
この発明は、カイロプラクティックの術者による施術を支援する技術に関する。
【背景技術】
【０００２】
特許文献１には、カイロプラクティックの術者による施術を支援する技術の開示がある。図１６は、この文献１に開示された椅子２００を上から見た図である。図１７は、図１６の椅子２００を前方から見た図である。図１８は、図１６の椅子２００を後方から見た図である。図１９は、図１７の椅子２００を左側方から見た図である。図１６、図１７、図１８に示すように、この椅子２００の座面２０１には、座面２０１を左右に分割する対称軸２０２を挟んだ対称位置に座面２０１から上方に向かって突出した一対の座骨接触部材２０３Ｌ及び２０３Ｒが設けられている。座骨接触部材２０３Ｌの頂面である座骨接触面２０４Ｌと座骨接触部材２０３Ｒの頂面である座骨接触面２０４Ｒは、椅子２００の前方に向かって下がる方向に傾斜している。また、座骨接触面２０４Ｌおよび座骨接触面２０４Ｒの各々の傾斜方向は椅子２００の前方よりも対象軸２０２側を向いている。カイロプラクティックの患者をこの椅子２００の上に座らせると、患者の脊椎が伸びる。よって、この椅子２００に患者を座らせて施術を施すことにより、矯正の効果を高めることができる。
【先行技術文献】
【特許文献】
【０００３】
【特許文献１】特許４４７０１９５号公報
【発明の概要】
【発明が解決しようとする課題】
【０００４】
ところで、カイロプラクティックの施術者は、患者にその背筋周りの緊張が解けるような姿勢を取らせたほうが施術を施し易い。このため、患者が施術中に施術者が望む姿勢を保ち続けられるような装置があれば施術の効果をより高めることができるはずであるが、このような技術は未だ実用化されていない。
【０００５】
本発明は、このような課題に鑑みてなされたものであり、カイロプラクティックの施術者による施術を行い易くすることを目的とする。
【課題を解決するための手段】
【０００６】
上記課題を解決するため、本発明は、着座姿勢のユーザを下方から支持する基台部と、前記基台部の上に着座するユーザからみて、前記基台部の前方左側に配置された左右方向に延伸する第１の軸を揺動軸として揺動し得るように支持された第１の大腿部接触部と、前記基台部の前方右側に配置された左右方向に延伸する第２の軸を揺動軸として揺動し得るように支持された第２の大腿部接触部と、前記第１の大腿部接触部を前記第１の軸周りに揺動するように駆動し、前記第２の大腿部接触部を前記第２の軸周りに揺動するように駆動する駆動部とを備え、前記第１の大腿部接触部は前記駆動部による駆動に従い、前記基台部の上に着座したユーザの左の大腿部を、股関節を支点として回動するように下方から押し上げ、前記第２の大腿部接触部は前記駆動部による駆動に従い、前記基台部の上に着座したユーザの右の大腿部を、股関節を支点として回動するように下方から押し上げる姿勢保持装置を提供する。
【０００７】
本発明では、カイロプラクティックの施術者は、患者を姿勢保持装置に座らせ、背筋周りの筋肉の緊張を触手にて確認しつつ、第１の大腿部接触部の揺動の角度と第２の大腿部接触部の揺動の角度を個別に調整する。そして、患者をその背筋回りの筋肉の緊張が解けた姿勢にした状態で施術を施す。これにより、施術の効果をより高めることができる。
また、本発明では、着座したユーザの大腿部の位置を変えることができるため、長時間の着座に伴ういわゆるエコノミー症候群等の発生のリスクを軽減することができる。
【図面の簡単な説明】
【０００８】
【図１】本発明の第１実施形態である姿勢保持装置を上から見た図である。
【図２】図１を矢印Ａ方向から見た図である。
【図３】図１を矢印Ｂ方向から見た図である。
【図４】図１を矢印Ｃ方向から見た図である。
【図５】図１を矢印Ｄ方向から見た図である。
【図６】本発明の第２実施形態である姿勢保持装置を上から見た図である。
【図７】図６を矢印Ａ方向から見た図である。
【図８】図６を矢印Ｂ方向から見た図である。
【図９】図６を矢印Ｃ方向から見た図である。
【図１０】図６を矢印Ｄ方向から見た図である。
【図１１】本発明の第３実施形態である姿勢保持装置を上から見た図である。
【図１２】図１１を矢印Ａ方向から見た図である。
【図１３】図１２を矢印Ｂ方向から見た図である。
【図１４】図１３を矢印Ｃ方向から見た図である。
【図１５】図１４を矢印Ｄ方向から見た図である。
【図１６】従来の矯正用の椅子を上から見た図である。
【図１７】図１６の椅子を前方から見た図である。
【図１８】図１６の椅子を後方から見た図である。
【図１９】図１６の椅子を左側方から見た図である。
【発明を実施するための形態】
【０００９】
以下、図面を参照しつつ本発明の実施形態について説明する。
＜第１実施形態＞
図１は、本発明の第１実施形態である姿勢保持装置１を上から見た図である。図２は、図１を矢印Ａ方向から見た図（正面図）である。図３は、図１を矢印Ｂ方向から見た図（背面図）である。図４は、図１を矢印Ｃ方向から見た図（左側面図）である。図５は、図１を矢印Ｄ方向から見た図（右側面図）である。この姿勢保持装置１は、当該姿勢保持装置１のユーザであるカイロプラクティックの患者を座らせて術者の意図する姿勢を保持させるためのものである。
【００１０】
図１、図２、図３、図４、及び図５に示すように、この姿勢保持装置１は、前後幅Ｄ１（例えば、Ｄ１＝５０ｃｍ）、左右幅Ｗ１（例えば、Ｗ１＝６０ｃｍ）、高さＨ１（例えば、Ｈ１＝４０ｃｍ）の寸法を有している。この姿勢保持装置１の基台部２０は、着座姿勢の患者を下方から支持する役割を果たす。基台部２０は、幅Ｄ１方向に対向する前面２１Ｆ及び後面２１Ｂと、幅Ｗ１方向に対向する左側面２１Ｌ及び右側面２１Ｒと、高さＨ１方向に対向する上面２１Ｕ及び下面２１Ｄとに囲まれた直方体状をなしている。
【００１１】
基台部２０の上面２１Ｕにおける幅Ｗ１方向の真中を通る基準線ＬＮの左側及び右側には臀部接触部３０Ｌ及び臀部接触部３０Ｒがある。臀部接触部３０Ｌ及び臀部接触部３０Ｒは、基準線ＬＮを対称軸とする鏡対称をなしている。
【００１２】
より詳細に説明すると、臀部接触部３０Ｌの側面３１Ｌ及び３２Ｌは側面３３Ｌ、３４Ｌ、３５Ｌを挟んで平行対面している。臀部接触部３０Ｌの側面３１Ｌ及び３２Ｌは直角三角形状をなしている。臀部接触部３０Ｌの側面３５Ｌは基台部２０の上面２１Ｕに固定されている。臀部接触部３０Ｌの側面３４Ｌは上面２１Ｕから上に向かって起立している。臀部接触部３０Ｌの側面３３Ｌは、基台部２０の上に着座する患者からみて、基台部２０の上面２１Ｕにおいて左後方から中央前方に向かい下がるように傾斜している。臀部接触部３０Ｒの側面３１Ｒ及び３２Ｒは側面３３Ｒ、３４Ｒ、３５Ｒを挟んで平行対面している。臀部接触部３０Ｒの側面３１Ｒ及び３２Ｒは直角三角形状をなしている。臀部接触部３０Ｒの側面３５Ｒは基台部２０の上面２１Ｕに固定されている。臀部接触部３０Ｒの側面３４Ｒは上面２１Ｕから上に向かって起立している。臀部接触部３０Ｒの側面３３Ｒは、基台部２０の上に着座する患者からみて、基台部２０の上面２１Ｕにおいて右後方から中央前方に向かい下がるように傾斜している。臀部接触部３０Ｌの側面３３Ｌにおける上面２１Ｕに接する端辺ＳＬと基準線ＬＮとがなす角度θ１（θ１＝６０度）と臀部接触部３０Ｒの側面３３Ｒにおける上面２１Ｕに接する端辺ＳＲと基準線ＬＮとがなす角度θ１は同じになっている。
【００１３】
基台部２０の下には脚６０がある。脚６０は、円盤状のプレート６２の上面に支柱６１を設けたものである。脚６０の支柱６１の上端は、基台部２０の下面２１Ｄにおける幅Ｗ１方向の真中の位置に固定されている。
【００１４】
基台部２０の前面２１Ｆにおける臀部接触部３０Ｌの前の位置には前面２１Ｆから前方に向かって突出した突出部４０Ｌがあり、基台部２０の前面２１Ｆにおける臀部接触部３０Ｒの前の位置には前面２１Ｆから前方に向かって突出した突出部４０Ｒがある。突出部４０Ｌ及び４０Ｒは、基台部２０の左右幅Ｗ１の半分よりも小さな左右幅を持った直方体状をなしている。突出部４０Ｌと突出部４０Ｒは幅Ｗ１方向に距離Ｗ２だけ離れている。突出部４０Ｌにはその上面４１Ｌにから下方に向かって凹んだ凹部４２Ｌが設けられている。突出部４０Ｒにはその上面４１Ｒにから下方に向かって凹んだ凹部４２Ｒが設けられている。突出部４０Ｌの凹部４２Ｌには大腿部接触部５０Ｌが収められている。突出部４０Ｒの凹部４２Ｒには大腿部接触部５０Ｒが収められている。
【００１５】
大腿部接触部５０Ｌは、基台部２０の上に着座する患者から見て、基台部２０の前方左側に配置された左右方向に延伸する軸ＡＬを搖動軸として搖動し得るようにして突出部４０Ｌに支持されている。また、大腿部接触部５０Ｒは、基台部２０の上に着座する患者から見て、基台部２０の前方右側に配置された左右方向に延伸する軸ＡＲを搖動軸として搖動し得るようにして突出部４０Ｒに支持されている。
【００１６】
より詳細に説明すると、大腿部接触部５０Ｌの５つの側面５１Ｌ、５２Ｌ、５３Ｌ、５４Ｌ、５５Ｌの一つである側面５４Ｌは突出部４０Ｌの上面４１Ｌと鋭角に交わる傾斜面を形成している。大腿部接触部５０Ｌの側面５１Ｌ及び５２Ｌは側面５３Ｌ、５４Ｌ、５５Ｌを挟んで幅Ｗ１方向に平行対面している。側面５１Ｌ及び５２Ｌは扇状をなしている。側面５４Ｌ及び５５Ｌは矩形状をなしている。側面５３Ｌは側面５１Ｌ及び５２Ｌの弧状の端辺に沿って湾曲している。大腿部接触部５０Ｌにおける側面５３Ｌと反対側の端部と凹部４２Ｌにおける基台部２０の側の上縁は、軸ＡＬを回転支点とするヒンジ機構（不図示）により連結されている。このため、大腿部接触部５０Ｌは、軸ＡＬを搖動軸として突出部４０Ｌの上面４１Ｌと大腿部接触部５０Ｌの傾斜面５４Ｌとがなす角度θ２（θ２≧０）（図４）を広げる方向と狭める方向に搖動し得る。
【００１７】
大腿部接触部５０Ｒの５つの側面５１Ｒ、５２Ｒ、５３Ｒ、５４Ｒ、５５Ｒの一つである側面５４Ｒは突出部４０Ｒの上面４１Ｒと鋭角に交わる傾斜面を形成している。大腿部接触部５０Ｒの側面５１Ｒ及び５２Ｒは側面５３Ｒ、５４Ｒ、５５Ｒを挟んで幅Ｗ１方向に平行対面している。側面５１Ｒ及び５２Ｒは扇状をなしている。側面５４Ｒ及び５５Ｒは矩形状をなしている。側面５３Ｒは側面５１Ｒ及び５２Ｒの弧状の端辺に沿って湾曲している。大腿部接触部５０Ｒにおける側面５３Ｒと反対側の端部と凹部４２Ｒにおける基台部２０の側の上縁は、軸ＡＲを回転支点とするヒンジ機構（不図示）により連結されている。このため、大腿部接触部５０Ｒは、軸ＡＲを搖動軸として突出部４０Ｒの上面４１Ｒと大腿部接触部５０Ｒの傾斜面５４Ｒとがなす角度θ３（θ３≧０）（図５）を広げる方向と狭める方向に搖動し得る。
【００１８】
基台部２０の下面２１Ｄからはケーブル９０が引き出されている。このケーブル９０の一端は基台部２０から突出部４０Ｌ及び４０Ｒ内に導かれて突出部４０Ｌ内の駆動部７１と突出部４０Ｒ内の駆動部７２に各々接続されている。ケーブル９０の他端はフットコントローラ８０と接続されている。フットコントローラ８０は、姿勢保持装置１を操作する操作子としての役割を果たす装置である。フットコントローラ８０の筐体８９には、上面から下方に向かって凹んだ凹部９１及び９２がある。凹部９１には踏板部８１が収められている。凹部９２には踏板部８２が収められている。踏板部８１の左右の側面の真中は凹部９１の左右の内壁面に枢着されている。踏板部８２の左右の側面の真中は凹部９２の左右の内壁面に枢着されている。このため、踏板部８１及び８２は各々の枢着部分を揺動軸として揺動し得る。
【００１９】
突出部４０Ｌ内には駆動部７１（図４）が収められている。突出部４０Ｒ内には駆動部７２（図５）が収められている。駆動部７１は、フットコントローラ８０の踏板部８１に対して行われた操作に応じて、大腿部接触部５０Ｌを軸ＡＬ周りに搖動するように駆動する装置である。駆動部７２は、フットコントローラ８０の踏板部８２に対して行われた操作に応じて、大腿部接触部５０Ｒを軸ＡＲ周りに搖動するように駆動する装置である。駆動部７１および７２の駆動方式は、モータ駆動や油圧駆動など、その方式は問わない。
【００２０】
ここで、駆動部７１は、フットコントローラ８０の踏板部８１の前方を踏み込む操作が行われた場合とその後方を踏み込む操作が行われた場合の各々において次のような動作を行う。
ａ１．踏板部８１の前方を踏み込む操作が行われた場合
この場合、駆動部７１は、角度θ２を広げる方向に大腿部接触部５０Ｌを動かす。大腿部接触部５０Ｌは、この駆動部７１の駆動に従い、基台部２０の上に着座した患者の左の大腿部を、股関節を支点として回動するように下方から押し上げる。
ｂ１．踏板部８１の後方を踏み込む操作が行われた場合
この場合、駆動部７１は、角度θ２を狭める方向に大腿部接触部５０Ｌを動かす。大腿部接触部５０Ｌは、この駆動部７１の駆動に従い、基台部２０の上に着座した患者の左の大腿部を下方に下げる。
【００２１】
また、駆動部７２は、フットコントローラ８０の踏板部８２の前方を踏み込む操作が行われた場合とその後方を踏み込む操作が行われた場合の各々において次のような動作を行う。
ｃ１．踏板部８２の前方を踏み込む操作が行われた場合
この場合、駆動部７２は、角度θ３を広げる方向に大腿部接触部５０Ｒを動かす。大腿部接触部５０Ｒは、この駆動部７２の駆動に従い、基台部２０の上に着座した患者の右の大腿部を、股関節を支点として回動するように下方から押し上げる。
ｄ１．踏板部８２の後方を踏み込む操作が行われた場合
この場合、駆動部７２は、角度θ３を狭める方向に大腿部接触部５０Ｒを動かす。大腿部接触部５０Ｒは、この駆動部７２の駆動に従い、基台部２０の上に着座した患者の右の大腿部を下方に下げる。
【００２２】
以上が、本実施形態の構成の詳細である。本実施形態では、カイロプラクティックの施術者は、患者を姿勢保持装置１に座らせ、背筋周りの筋肉の緊張を触手にて確認しつつ、大腿部接触部５０Ｌの角度θ２と大腿部接触部５０Ｒの角度θ３を個別に調整する。そして、患者をその背筋回りの筋肉の緊張が解けた姿勢にした状態で施術を施す。これにより、施術の効果をより高めることができる。
【００２３】
＜第２実施形態＞
図６は、本発明の第２実施形態である姿勢保持装置１Ａを上から見た図である。図７は、図６を矢印Ａ方向から見た図（正面図）である。図８は、図６を矢印Ｂ方向から見た図（背面図）である。図９は、図６を矢印Ｃ方向から見た図（左側面図）である。図１０は、図７を矢印Ｄ方向から見た図（右側面図）である。図６、図７、図８、図９、図１０において、姿勢保持装置１（第１実施形態）のものと同じ要素には同じ符号を付し、これらについての再度の説明を割愛する。
【００２４】
本実施形態の姿勢保持装置１Ａでは、大腿部接触部５０Ｌ及び５０Ｒは、基台部２０の上に着座する患者からみて、基台部２０に対し左右方向に移動し得るようにして基台部２０に連結されている。より具体的に説明すると、基台部２０の前面２１Ｆには幅Ｗ１方向に延在する凹部２５（図７、図９及び図１０）が設けられている。突出部４０Ｌにおける後側の端面には幅Ｗ１方向に延在する凸部５７Ｌ（図９）が設けられている。突出部４０Ｒにおける後側の端面には幅Ｗ１方向に延在する凸部５７Ｒ（図１０）が設けられている。突出部４０Ｌの凸部５７Ｌと突出部４０Ｒの凸部５７Ｒは、凹部２５内を幅Ｗ１方向（左右方向）に摺動し得るようにして凹部２５に嵌め込まれている。
【００２５】
また、この姿勢保持装置１Ａでは、フットコントローラ８０Ａの筐体８９Ａにおける凹部９２の隣に凹部９３が設けられており、その隣に凹部９４が設けられている。凹部９３には踏板部８３が収められている。凹部９４には踏板部８４が収められている。踏板部８３及び８４は、各々の枢着部分を搖動軸として搖動し得るようになっている。
【００２６】
また、基台部２０内には駆動部７３（図９）及び駆動部７４（図１０）が収められている。駆動部７３は、フットコントローラ８０Ａの踏板部８３に対して行われた操作に応じて、大腿部接触部５０Ｌを幅Ｗ１方向（左右方向）に移動するように駆動する装置である。駆動部７４は、フットコントローラ８０Ａの踏板部８４に対して行われた操作に応じて、大腿部接触部５０Ｒを幅Ｗ１方向（左右方向）に移動するように駆動する装置である。
【００２７】
ここで、駆動部７３は、フットコントローラ８０Ａの踏板部８３の前方を踏み込む操作が行われた場合とその後方を踏み込む操作が行われた場合の各々において次のような動作を行う。
ｅ１．踏板部８３の前方を踏み込む操作が行われた場合
この場合、駆動部７３は、大腿部接触部５０Ｌを左方向に移動させる。大腿部接触部５０Ｌは、この駆動部７３の駆動に従い、基台部２０の上に着座した患者の左の大腿部を左方向に動かす。
ｆ１．踏板部８３の後方を踏み込む操作が行われた場合
この場合、駆動部７３は、大腿部接触部５０Ｌを右方向に移動させる。大腿部接触部５０Ｌは、この駆動部７３の駆動に従い、基台部２０の上に着座した患者の左の大腿部を右方向に動かす。
【００２８】
また、駆動部７４は、フットコントローラ８０Ａの踏板部８４の前方を踏み込む操作が行われた場合とその後方を踏み込む操作が行われた場合の各々において次のような動作を行う。
ｇ１．踏板部８４の前方を踏み込む操作が行われた場合
この場合、駆動部７４は、大腿部接触部５０Ｒを右方向に移動させる。大腿部接触部５０Ｒは、この駆動部７４の駆動に従い、基台部２０の上に着座した患者の右の大腿部を右方向に動かす。
ｈ１．踏板部８４の後方を踏み込む操作が行われた場合
この場合、駆動部７４は、大腿部接触部５０Ｒを左方向に移動させる。大腿部接触部５０Ｒは、この駆動部７４の駆動に従い、基台部２０の上に着座した患者の右の大腿部を左方向に動かす。
【００２９】
以上が、本実施形態の構成の詳細である。本実施形態では、大腿部接触部５０Ｌの角度θ２と大腿部接触部５０Ｒの角度θ３に加えて、大腿部接触部５０Ｌ及び５０Ｒの左右方向の位置も調整することができる。よって、本実施形態によると、施術の効果をより高めることができる。
【００３０】
＜第３実施形態＞
図１１は、本発明の第３実施形態である姿勢保持装置１Ｂを上から見た図である。図１２は、図１１を矢印Ａ方向から見た図（正面図）である。図１３は、図１１を矢印Ｂ方向から見た図（背面図）である。図１４は、図１１を矢印Ｃ方向から見た図（左側面図）である。図１５は、図１１を矢印Ｄ方向から見た図（右側面図）である。図１１、図１２、図１３、図１４、図１５において、姿勢保持装置１Ａ（第２実施形態）のものと同じ要素には同じ符号を付し、これらについての再度の説明を割愛する。
【００３１】
本実施形態の姿勢保持装置１Ｂでは、大腿部接触部５０Ｌ及び５０Ｒは、基台部２０の上に着座する患者からみて、基台部２０に対し前後方向に移動し得るようにして基台部２０に連結されている。より具体的に説明すると、姿勢保持装置１０Ｂでは、突出部４０Ｌは、一面が開放された中空な箱部４５Ｌと、箱部４５Ｌの開放された側から同部４５Ｌ内に収納された角柱部４６Ｌとを有する。角柱部４６Ｌにはその上面４７Ｌから下方に向かって凹んだ凹部４８Ｌが設けられており、この凹部４８Ｌに大腿部接触部５０Ｌが収められている。また、突出部４０Ｒは、一面が開放された中空な箱部４５Ｒと、箱部４５Ｒの開放された側から同部４５Ｒ内に収納された角柱部４６Ｒとを有する。角柱部４６Ｒにはその上面４７Ｒから下方に向かって凹んだ凹部４８Ｒが設けられており、この凹部４８Ｒに大腿部接触部５０Ｒが収められている。
【００３２】
本実施形態の姿勢保持装置１Ｂでは、フットコントローラ８０Ｂの筐体８９Ｂにおける凹部９４の隣に凹部９５が設けられており、その隣に凹部９６が設けられている。凹部９５には踏板部８５が収められている。凹部９６には踏板部８６が収められている。踏板部８５及び８６は、各々の枢着部分を搖動軸として搖動し得るようになっている。
【００３３】
箱部４５Ｌ内における箱部４５Ｌの底と角柱部４６Ｌとの間には駆動部７５（図１４）が設けられている。箱部４５Ｒ内における箱部４５Ｒの底と角柱部４６Ｒとの間には駆動部７６（図１５）が設けられている。駆動部７５は、フットコントローラ８０Ｂの踏板部８５に対して行われた操作に応じて、大腿部接触部５０Ｌを前後方向に移動するように駆動する装置である。駆動部７６は、フットコントローラ８０Ｂの踏板部８６に対して行われた操作に応じて、大腿部接触部５０Ｒを前後方向に移動するように駆動する装置である。
【００３４】
ここで、駆動部７５は、フットコントローラ８０Ｂの踏板部８５の前方を踏み込む操作が行われた場合とその後方を踏み込む操作が行われた場合の各々において次のような動作を行う。
ｈ１．踏板部８５の前方を踏み込む操作が行われた場合
この場合、駆動部７５は、角柱部４６Ｌとその凹部４８Ｌ内の大腿部接触部５０Ｌを前方に移動させる。大腿部接触部５０Ｌは、この駆動部７５の駆動に従い、基台部２０の上に着座した患者の左の大腿部を前方に動かす。
ｉ１．踏板部８５の後方を踏み込む操作が行われた場合
この場合、駆動部７５は、角柱部４６Ｌとその凹部４８Ｌ内の大腿部接触部５０Ｌを後方に移動させる。大腿部接触部５０Ｌは、この駆動部７５の駆動に従い、基台部２０の上に着座した患者の左の大腿部を後方に動かす。
【００３５】
また、駆動部７６は、フットコントローラ８０Ｂの踏板部８６の前方を踏み込む操作が行われた場合とその後方を踏み込む操作が行われた場合の各々において次のような動作を行う。
ｊ１．踏板部８６の前方を踏み込む操作が行われた場合
この場合、駆動部７６は、角柱部４６Ｒとその凹部４８Ｒ内の大腿部接触部５０Ｒを前方に移動させる。大腿部接触部５０Ｒは、この駆動部７６の駆動に従い、基台部２０の上に着座した患者の右の大腿部を前方に動かす。
ｋ１．踏板部８６の後方を踏み込む操作が行われた場合
この場合、駆動部７６は、角柱部４６Ｒとその凹部４８Ｒ内の大腿部接触部５０Ｒを後方に移動させる。大腿部接触部５０Ｒは、この駆動部７６の駆動に従い、基台部２０の上に着座した患者の右の大腿部を後方に動かす。
【００３６】
以上が、本実施形態の構成の詳細である。本実施形態では、大腿部接触部５０Ｌの角度θ２と大腿部接触部５０Ｒの角度θ３、大腿部接触部５０Ｌ及び５０Ｒの左右方向の位置、大腿部接触部５０Ｌ及び５０Ｒの前後方向の位置を個別に調整することができる。よって、本実施形態によると、施術の効果をより高めることができる。
【００３７】
以上、本発明の第１乃至第３実施形態について説明したが、かかる実施形態に以下の変形を加えてもよい。
（１）上記第１乃至第３実施形態では、フットコントローラ８０Ａ、８０Ｂ、８０Ｃにより、大腿部接触部５０Ｌの角度θ２と大腿部接触部５０Ｒの角度θ３、大腿部接触部５０Ｌ及び５０Ｒの左右方向の位置、大腿部接触部５０Ｌ及び５０Ｒの前後方向の位置を調整した。しかし、ボタンスイッチやボリュームスイッチなどの他の操作子によりこれらを調整するようにしてもよい。この場合において、操作子は、基台部２０の上に着座するユーザ（患者）と異なるユーザである術者が操作するようにしてもよいし、基台部２０の上に着座するユーザ自身が操作するようにしてもよい。
【００３８】
（２）上記第１実施形態の姿勢保持装置１の突出部４０Ｌ及び４０Ｒを第３実施形態の姿勢保持装置１Ｂの突出部４０Ｌ及び４０Ｒにより置き換えたものにより姿勢保持装置１Ｄを構成してもよい。この姿勢保持装置１Ｄは、第１〜第３実施形態のものと同様の役割を果たす駆動部７１、７２、及び第３実施形態のものと同様の役割を果たす駆動部７５、７６の合計４つの駆動部を有する。そして、この姿勢保持装置１Ｄでは、第１の駆動部７１は、角度θ２を広げる方向（または狭める方向）に大腿部接触部５０Ｌを動かし、第２の駆動部７２は、角度θ３を広げる方向（または狭める方向）に大腿部接触部５０Ｒを動かす。また、第３の駆動部７５は、前方向（または後方向）に角柱部４６Ｌを動かし、第４の駆動部７６は、前方向（または後方向）に角柱部４６Ｒを動かす。この姿勢保持装置１Ｄは、第２及び第３実施形態のように大腿部接触部５０Ｌ及び５０Ｒの左右方向の位置を調整することはできないものの、これらと同等かそれに準じた効果を奏することができる。
【００３９】
（３）上記第２実施形態では、２つの駆動部７３及び７４が大腿部接触部５０Ｌ及び５０Ｒの左右方向の位置を個別に調整するようになっていた。しかし、駆動部７３及び駆動部７４を連動して動作させてもよい。例えば、駆動部７３による大腿部接触部５０Ｌの左右方向の移動量と駆動部７４による大腿部接触部５０Ｒの左右方向の移動量が同じになるように両部７３及び７４を連動させるとよい。
【００４０】
（４）上記第３実施形態では、２つの駆動部７５及び７６が大腿部接触部５０Ｌ及び５０Ｒの前後方向の位置を個別に調整するようになっていた。しかし、駆動部７５及び７６を連動して動作させてもよい。例えば、駆動部７５による大腿部接触部５０Ｌの前後方向の移動量と駆動部７６による大腿部接触部５０Ｒの前後方向の移動量が同じになるように両部７５及び７６を連動させるとよい。
【００４１】
（５）上記第１乃至第３実施形態は、本発明をカイロプラクティックの患者を座らせる椅子に適用したものであった。しかし、本発明の用途はこれに限らない。例えば、本発明にかかる姿勢保持装置を用いて、飛行機等の乗り物に長時間搭乗するユーザの大腿部の位置を時々変えてあげることで、いわゆるエコノミー症候群等の発病を防止することができる。この場合、フットコントローラ８０等の操作子は必ずしも必要はなく、マイコン等の制御装置が、例えば所定の時間の経過等をトリガとして、自動的に駆動部を制御する構成が採用されてもよい。
【００４２】
（６）上記第１乃至第３実施形態では、基台部２０の上面２１Ｕに臀部接触部３０Ｌ及び臀部接触部３０Ｒが設けられていた。しかし、基台部２０の上面２１Ｕに臀部接触部３０Ｌ及び臀部接触部３０Ｒを設けない構成を採用してもよい。
【００４３】
（７）上記第１乃至第３実施形態では、基台部２０の前方に突出部４０Ｌと突出部４０Ｒが設けられていた。しかし、これら２つの突出部を個別に設ける代わりに、１つの突出部を設け、当該１つの突出部に大腿部接触部５０Ｌ及び大腿部接触部５０Ｒを設ける構成を採用してもよい。また、基台部２０の前方に突出部４０Ｌと突出部４０Ｒを設けない構成を採用してもよい。この場合、基台部２０の前面２１Ｆの上端部と大腿部接触部５０Ｌ及び大腿部接触部５０Ｒとをヒンジ機構により連結するとよい。
【符号の説明】
【００４４】
１…姿勢保持装置、２０…基台部、３０…臀部接触部、４０…突出部、５０…大腿部接触部、８０…フットコントローラ、９０…ケーブル。
【図１】
2014054461.tif 000003
【図２】
2014054461.tif 000004
【図３】
2014054461.tif 000005
【図４】
2014054461.tif 000006
【図５】
2014054461.tif 000007
【図６】
2014054461.tif 000008
【図７】
2014054461.tif 000009
【図８】
2014054461.tif 000010
【図９】
2014054461.tif 000011
【図１０】
2014054461.tif 000012
【図１１】
2014054461.tif 000013
【図１２】
2014054461.tif 000014
【図１３】
2014054461.tif 000015
【図１４】
2014054461.tif 000016
【図１５】
2014054461.tif 000017
【図１６】
2014054461.tif 000018
【図１７】
2014054461.tif 000019
【図１８】
2014054461.tif 000020
【図１９】
2014054461.tif 000021